(57)【要約】 【課題】使用状況に応じて適宜、作業スペースのサイズを変えられる、効率的で作業性に優れたワゴンを提供する。【解決手段】作業台付架台は、第１の作業スペースを有する第１の作業台と、第２の作業スペースを有し、複数の方向に引き出し可能な第２の作業台とを備える。【選択図】  図１
2004267764.tif 000002
【特許請求の範囲】
【請求項１】
第１の作業スペースを有する第１の作業台と、
第２の作業スペースを有し、複数の方向に引き出し可能な第２の作業台と、
を備えたことを特徴とする作業台付架台。
【発明の詳細な説明】
【技術分野】
【０００１】
本発明は、作業台付架台に関し、特に、効率的で作業性に優れた作業台付架台に関する。
【背景技術】
【０００２】
従来、内視鏡検査において、その検査に必要な器具や薬品を格納するための医療用ワゴンが広く利用されている。医療用ワゴンの多くは、上部に通常の検査中の作業領域として利用できるスペースが設けられている。しかし、内視鏡検査では頻繁に使用する器具や薬品が多いため、器具や薬品の設置スペースが作業領域の多くを占めていた。さらに、内視鏡的処置時など多くの器具を使用し広いスペースを必要とする場合に十分な作業領域を得ることは難しかった。また、単純に作業領域を広げた場合、不要時には余剰スペースとなり内視鏡室のスペース効率を低下させる原因となっていた。
【０００３】
そのため、内視鏡検査室の限られたスペースを有効活用するために、着脱式、引き出し式、回転式、及び折りたたみ式の作業台が設けられた医療用ワゴンが提案されている（例えば、特許文献１参照）。
【特許文献１】特開平10-108825号公報（第３−６頁、図６、図１３、図１４、図１５）
【発明の開示】
【発明が解決しようとする課題】
【０００４】
しかしながら、前記提案されている、引き出し式、回転式及び折りたたみ式のワゴンの場合は、ワゴンからみて単一方向にしか作業台を出せず、また、着脱式の場合は取り外した時に置き場が必要となるため、使い勝手が悪かった。
【０００５】
本発明は、使用状況に応じて適宜、作業スペースのサイズを変えられる、効率的で作業性に優れたワゴンすなわち架台を提供することを目的とする。
【課題を解決するための手段】
【０００６】
本発明の作業台付架台は、第１の作業スペースを有する第１の作業台と、第２の作業スペースを有し、複数の方向に引き出し可能な第２の作業台とを備える。
【発明の効果】
【０００７】
本発明によれば、使用状況に応じて適宜、作業スペースのサイズを変えられる、効率的で作業性に優れたワゴンを実現することができる。
【発明を実施するための最良の形態】
【０００８】
以下、図面を参照して本発明の実施例を説明する。
【実施例１】
【０００９】
本実施例に係わる医療用ワゴンは、必要なときに、ワゴンの向きに対し複数方向に選択的に引き出して使用することができ、使わないときはワゴン内に収納できる補助テーブルを備えたワゴンである。
【００１０】
以下、そのワゴンの構成例を説明する。
【００１１】
図１は、ワゴン本体の外観斜視図である。図１に示すように、本実施例に係るワゴン１は、作業台として使用されるトップテーブル２と、内視鏡検査中に使用される器具や薬品等を収納する複数の引き出し３と、ナース等の作業領域を拡張するための補助テーブル４とを含んで構成されている。補助作業台としての補助テーブル４は、矢印で示す方向に引き出す又は押し入れることができる。
【００１２】
ワゴン１は、略直方体をしており、各引き出し３は一方向に引き出すことが可能となっている。トップテーブル２は、ワゴン１の上面に設けられており、ナース等に作業領域を提供する。引き出し３と、トップテーブル２の間には、スペース１ａが設けられている。さらに、ワゴン１の底部には、ワゴン１を容易に移動可能とするための複数のキャスタ１ｃが取り付けられている。
【００１３】
図２は、補助テーブル４周辺の構成を説明するための分解組立図である。図２に示すように補助テーブル４は、テーブルベース５、サイドガード６及び取っ手７により構成されている。補助テーブル４は、ワゴン１からみて複数方向に（ここでは２方向にすなわちワゴンの両側に、具体的には、ワゴンに向かって前後又は左右に）直線的に引き出し可能となっている。テーブルベース５は長方形の板材であり、そのテーブルベース５の互いに平行な２つの側面にそれぞれサイドガード６が、図示しない締結方法により固定されて取り付けられている。そのテーブルベース５の互いに平行な２つの側面であって、サイドガード６が取り付けられていない２つの側面にそれぞれ取っ手７が、図示しない締結方法により固定されている。
【００１４】
テーブルベース５底面には、補助テーブル４を引き出す方向（図１の矢印方向）にそって、断面形状がＴ字型の溝８が形成されている。その溝８にはストッパー９が、溝８内において移動可能で、かつ抜け出さないように内挿されている。なお、本実施の形態ではテーブルベース５底面の溝８にストッパー９が入っているが、テーブルベース５の側面もしくは上面の図示しない溝や図示しない別途設けられた特別部材の溝に、ストッパー９を設けるようにしても良い。
【００１５】
ワゴンフレーム１０上面には、補助テーブル４と接触し、補助テーブル４がその上で滑るように移動可能とするための摺動部材１１が図示しない固定方法により固定されている。この摺動部材１１上で補助テーブル４が滑ることによって、ワゴンフレーム１０上において、ナース等のユーザは、補助テーブル４の引き出し及び押し込みを容易にすることができる。
【００１６】
また、補助テーブル４の上には補助テーブルガイド１２が被さっており、ネジ等の締結部品１３によりワゴンフレーム１０上面に固定されている。補助テーブルガイド１２は、断面形状がコの字状の段部を有する板状材である。段部は、補助テーブル４が収まるサイズを有し、後述するように、補助テーブル４が、補助テーブルガイド１２の段部内で、補助テーブル４を引き出す方向（図１の矢印方向）にそって、移動可能となるように、補助テーブルガイド１２は、ワゴンフレーム１０上面に固定されている。
【００１７】
さらに、トップテーブル２が、ワゴンフレーム１０に対し図示しない締結方法により固定されている。
【００１８】
ワゴンフレーム１０には、補助テーブル４の溝８に対向する位置に長孔である溝１５を設けられている。ノブ１４は、ワゴンフレーム１０上面の溝１５を通して、ストッパー９に締結固定されている。
【００１９】
次に、補助テーブル４がナース等のユーザによって上述したワゴン１が利用されるときの、ワゴン１の補助テーブル４の動きを図３を用いて説明する。
【００２０】
図３は、図１のＩＩＩ−ＩＩＩ’における断面図を示す。図３は、補助テーブル４のスライド動作および落下防止機構の説明をするための図である。図３（ａ）は、補助テーブル４が医療用ワゴン１内に収納された状態を示す断面図である。図３（ｂ）は、補助テーブル４が医療用ワゴン１から突出した状態を示す断面図である。
【００２１】
図３（ａ）に示すように、補助テーブル４が医療用ワゴン１内に収納されているときは、補助テーブル４は、トップテーブル２の下に隠れるようになっている。これは、補助テーブル４の引き出し方向（図１の矢印方向）において、補助テーブル４の長さは、トップテーブル２の長さと同じかそれよりも短いからである。このとき、ストッパー９は、溝８内のいずれかの位置にある。
【００２２】
ユーザは、ワゴンフレーム１０上の摺動部材１１とサイドガード６によって、補助テーブル４を補助テーブルガイド１２に沿ってスライドさせることができる。ユーザが補助テーブル４をスライドさせても、テーブルベース５側面に取っ手７が固定されているため、ストッパー９はテーブルベース５底面の溝８から抜け落ちて外れないようになっている。
【００２３】
ユーザが、補助テーブル４を引き出し方向（図１の矢印方向）に引き出していくと、最後に図３（ｂ）に示すようにストッパー９が取っ手７に当接、またはノブ１４が溝１５内でワゴンフレーム１０に当接することによって、ユーザはそれ以上補助テーブル４を引き出すことが出来ない。すなわち、補助テーブル４を引き出していくと、ストッパー９が、引き出した方向とは反対側の取っ手７又はワゴンフレーム１０に当接することによって、ユーザはそれ以上補助テーブル４を引き出すことが出来ない。反対側に補助テーブル４を引き出した場合も、同様に、ストッパー９が、引き出した方向とは反対側の取っ手７又はワゴンフレーム１０に当接接することによって、ユーザはそれ以上補助テーブル４を引き出すことが出来ない。なお、ノブ１４をストッパー９から外せば、補助テーブル４が医療用ワゴン１から引き出して取り外すことができる。
【００２４】
また、補助テーブル４は、図示しない固定方法によって、引き出した状態で及び収納状態で固定することができる。補助テーブル４を引き出した状態で固定することによって、補助テーブル４が摺動、もしくは回動してしまうことにより補助テーブル４に載っている物が落下することを防ぐことが出来る。また、補助テーブル４を収納状態で固定できるようにすることによって、ワゴン１移動時に補助テーブル４がワゴン１より突出してしまうことを防ぐことが出来る。
【００２５】
ナース等が医療用ワゴン１上の作業領域では足りなくなった場合、トップテーブル２下に設置された補助テーブル４を使い易い方向に引き出すことによって、補助テーブル４上の領域も作業領域として使用できる。そして、不要時にはトップテーブル２下に収納することができる。
【００２６】
また、補助テーブル４のストッパー９を移動可能となっているので、補助テーブル４をより大きく引き出すことができる。
【００２７】
なお、引き出した補助テーブル４を回転可能にするようにしてもよい。図４は、補助テーブルガイド１２の端部を短くすることで、補助テーブル４を引き出した状態で回転させることができるようにしたことを説明するための平面図である。図４に示すように、補助テーブルガイド１２のコの字上の側壁部（補助テーブル４のテーブルベース５の主面に垂直方向の壁面部）の一部を取り除くことによって、ノブ１４が溝１５内でワゴンフレーム１０に当接した状態で、ノブ１４を回転軸として回転させることができる。これは、ノブ１４を回転中心として補助テーブル４を回転させたときに、補助テーブル４のサイドガード６が補助テーブルガイド１２の側壁部に当たらなくなるように、側壁部の一部を取り除いたからである。
【００２８】
このようにすれば、ナース等は限られた作業環境において、補助テーブル４を引き出した後に回動可能であり、その結果、補助テーブル４の作業領域の場所をより自由に変えられるので、ナース等の作業性は向上する。
【００２９】
以上説明したように、本実施例によれば、補助テーブル４を２方向に選択的に突出可能なため、検査環境、内視鏡室レイアウト等に合わせて、選択的に作業領域を拡張することが出来る。よって、病院等の施設の室内レイアウト変更を必要とせず、かつ使用しない時には補助テーブル４をトップテーブル２の下に収納することによって、内視鏡室のスペースを広げることが出来る。
【００３０】
また、補助テーブル４を医療用ワゴン１に対し着脱可能とすることで、補助テーブル４の洗浄を容易にすることができる。
【００３１】
さらに、補助テーブル４をより大きく引き出すことができるため、より広い作業領域を確保することができ、ナースの作業効率を向上することができる。
【００３２】
さらにまた、補助テーブル４を引き出した状態で回転させるようにすることによって、補助テーブル４を適切な向きで使用できるので、ナース等の作業効率を向上することができる。
【００３３】
また、補助テーブル４を引き出した状態で固定することによって、補助テーブル４が摺動、もしくは回動してしまうことにより補助テーブル４に載っている物が落下することを防ぐことが出来る。さらに、補助テーブル４を収納状態で固定できることで、ワゴン１移動時に補助テーブル４がワゴン１より突出してしまうことを防ぐことが出来る。
【実施例２】
【００３４】
本実施例に係わる医療用ワゴンは、必要なときに、所定の回転軸を回転中心として、補助テーブルを回転させながら引き出して使用することができ、使わないときはワゴン内に収納できる補助テーブルを備えたワゴンである。
【００３５】
以下、そのワゴンの構成例を説明する。
【００３６】
図５は、本実施例に係わるワゴン本体の外観斜視図である。図１と同じ構成要素については、同じ符号を付して説明は省略する。図５に示すように、本発明の第２の実施の形態は、回転軸部４１の回転軸を中心に補助テーブル４２を回動可能に保持して、補助テーブル４２をワゴンから突出可能とした点が前記実施例１と異なる。
【００３７】
図６は、図５のＶＩ−ＶＩ’断面図である。補助テーブル４２に対し、回転軸部４１が図示しない締結方法により固定されている。ワゴンフレーム４４に設けられた孔部４５には摺動部材４６が設けられている。摺動部材４６は、孔部４５に嵌合する円筒形状を有し、かつその摺動部材４６内に回転軸部４１が挿入され保持されるようになっている。この摺動部材４６と回転軸部４１によって回動機構が構成される。摺動部材４６は、円筒形状の一端側にフランジ部４６ａを有し、補助作業台としての補助テーブル４２の面と接触する。よって、摺動部材４６は、内側の面において回転軸部４１と、フランジ部４６ａの補助テーブル４２側の面において補助テーブル４２とを滑りやすくしている。ワゴンフレーム４４の孔部４５の内側であって、摺動部材４６の内側にはピン４７が突設されており、回転軸部４１の円周方向に水平な溝部４８に入るようになっている。
【００３８】
図７は、回転軸部４１の斜視図である。図７に示すように、円筒形状の回転軸部４１の表面には円周方向に水平な溝部４８と、円周方向と垂直な方向に溝部４９が設けられている。溝部４９は、円筒形状の回転軸部４１の一端部から溝部４８まで形成されている。補助テーブル４２をピン４７が回転軸部４１に設けられた垂直な溝部４９に合う位置まで回転させてから、ピン４７が垂直な溝部４９を通るように、補助テーブル４２をワゴンフレーム４４の上から押し下げることによって、補助テーブル４２をワゴン１に取り付けることが出来る。補助テーブル４２をワゴン１に取り付けた後、トップテーブル２が、ワゴン１に取り付けられる。
【００３９】
このように、補助テーブル４２は、図６に示すように摺動部材４６により、回動可能に保持される。ワゴンフレーム４４の孔部４５の内側に突出するように設けられたピン４７が回転軸部４１の水平な溝部４８に入り込むことによって、回転軸４１は摺動部材４６から抜けることは無い。さらに、ピン４７は溝部４８内では当接するものがないので、補助テーブル４２は、回転軸部４１の回転軸を回転中心として回転することができる。
【００４０】
なお、補助テーブル４２をピン４７が回転軸４１に設けられた垂直な溝部４９に合う位置まで回転させてから、ピン４７が垂直な溝部４９を通るように、補助テーブル４２をワゴンフレーム４４から引き上げることによって、補助テーブル４２をワゴン１から外すことが出来る。
【００４１】
補助テーブル４２を引き出せる方向が第１の実施の形態では両対面方向であったのに対し、第２の実施の形態では回転軸部４１の回転軸を回転中心として回動可能な方向に補助テーブル４２を引き出せる点が実施例１と異なる。
【００４２】
本実施例によれば、実施例１の効果に加えて、医療用ワゴンの両側面が使用できない場合においても、作業領域を拡張できるというメリットがある。
【実施例３】
【００４３】
本実施例に係わる医療用ワゴンは、医療用ワゴンにおいて、着脱可能な処置具保持部と処置具先端を受けるための袋を簡単に保持できる袋保持手段とを有した処置具保持手段を、内視鏡検査室のレイアウトに合わせて設置できる機能を備えた医療用ワゴンである。
【００４４】
内視鏡検査室には、従来、検査介助者が使用するワゴンと、内視鏡処置具を仮置きするための処置具保持装置が設置されている。ワゴンと処置具保持装置とが別々に存在していたため、内視鏡検査室のスペース効率が損なわれていた。
【００４５】
なお、処置具の先端が床面に触れることがないようにするための内視鏡用処置具保持装置（特公平5-6463号公報）や、処置具を容易かつ確実に無理なく保持することができる内視鏡用処置具保持装置（特開平11-290341号公報）が提案されているが、内視鏡検査室のスペース効率を考慮したワゴンは提案されていない。
【００４６】
以下、本実施例に係わるワゴンの構成例を説明する。
【００４７】
図８は、本実施例に係わる医療用ワゴン本体の外観斜視図である。図８に示すように、本実施例に係わる医療用ワゴン５１は、作業台として使用されるトップテーブル５２と、内視鏡検査中に使用される器具や薬品等を収納する複数の引き出し５３と、内視鏡処置具の操作部の保持機構と挿入部を受けるビニール袋の保持機構を備えた処置具保持手段５４とを含んで構成されている。
【００４８】
ワゴン５１は、略直方体をしており、各引き出し５３は一方向に引き出すことが可能となっている。トップテーブル５２は、ワゴン５１の上面に設けられており、ナース等に作業領域を提供する。引き出し５３と、トップテーブル５２の間には、スペース５１ａが設けられている。さらに、ワゴン５１の底部には、ワゴン５１を容易に移動可能とするための複数のキャスタ５１ｃが取り付けられている。
【００４９】
図９は、処置具保持手段５４の構成を説明するための分解組立図である。図９に示すように処置具保持手段５４は、ハンガーフレーム５５と、弾性を有するバネ部材である袋固定針金５６と、棒状の袋固定パイプ５７と、パイプ固定軸５８と、処置具ハンガー支柱５９と、処置具保持部６０とにより構成される。
【００５０】
ハンガーフレーム５５は、医療用ワゴン５１の側面に設けられた取り付け部としての孔６１に対して、ノブ６２をハンガーフレーム５５の孔５５ａを介して挿入することにより着脱可能に固定される。なお、ワゴン５１に対するハンガーフレーム５５の固定方法は、ノブ６２を孔に挿入するという方法ではなく、マグネットや弾性部材を用いた固定方法でもよい。
【００５１】
弾性体である袋固定針金５６は、全体にコの字の形状を有し、かつコの字の中央部は、略直角に折れ曲がったフック部を有する。袋固定針金５６は、両端において、ハンガーフレーム５５の穴６３に挿入され保持されるようになっており、ハンガーフレーム５５に対して着脱可能となっている。袋固定針金５６は、ワゴン５１の側面に平行にかつ、ワゴン上方に延びるように設けられ、その結果、コの字の中央部は、ワゴン５１のトップテーブル５２に対して押圧された状態で設けられる。
【００５２】
袋固定パイプ５７は、円筒形状のパイプであり、図１０に示すように端部においてパイプ固定軸５８を挿通可能となるようにＬ字形状の孔６５を有する。ハンガーフレーム５５には、２つの軸受け部６４が設けられている。各軸受け部６４は、袋固定パイプ５７の孔６５にパイプ固定軸５８を通した状態で、パイプ固定軸５８を通すための穴６４ａを有する。袋固定パイプ５７は、ハンガーフレーム５５に設けられた軸受け部６４の孔６４ａと袋固定パイプ５７のＬ字型の穴６５とにパイプ固定軸５８を通すことで保持される。パイプ固定軸５８は図示しないＥリングを付加することにより軸受け部６４に固定される。
【００５３】
Ｌ字形状の処置具ハンガー支柱５９は、支柱５９の端部に設けられた孔５９ａを介して、ノブ６６をハンガーフレーム５５の孔５５ｂに挿入することによって、ハンガーフレーム５５に対して着脱可能に固定される。ステンレス製の処置具保持部６０は、処置具ハンガー支柱５９に設けられたピン６７を、処置具保持部６０に設けられた穴６７ａに通すことによって、処置具ハンガー支柱５９に保持されている。
【００５４】
処置具保持部６０は、図９に示すように、断面形状が円筒形状の処置具ハンガー支柱５９に合うように凹形状であり、さらに内視鏡処置部の操作部を掛けるフックのような形状をしたフック部６０ａを複数有する。各フック部６０ａは、断面形状がJ型の形状を有する接片である。なお、フック部６０ａは、溝であって内視鏡処置部の操作部を乗せられるような形状のものや、弾性部材により内視鏡処置部の操作部を把持するような機構のものでもよい。あるいはまた、処置具保持部６０に処置具先端部を保持する弾性部材を設けるようにしてもよい。なお、処置具保持部６０の材質は、ステンレスに限らず、耐熱性、耐薬性のある材料であれば良い。
【００５５】
なお、本実施例では、処置具ハンガー支柱５９のピン６７に処置具保持部６０の孔６８を通して保持されているが、処置具保持部６０に圧入された図示しないピンを、処置具ハンガー支柱５９に設けた図示しない孔に通して保持してもよい。また、処置具保持部６０を、マグネット、ノブ、弾性部材等によって処置具ハンガー支柱５９に保持するようにしてもよい。
【００５６】
図１０は、ハンガーフレーム５５と、袋固定パイプ５７と、パイプ固定軸５８とを組み立てた状態での袋固定パイプ５７の駆動機構を説明するための図である。図１０の（ａ）は、袋固定パイプ５７が垂直に保持された状態を示す図であり、図１０の（ｂ）は、袋固定パイプ５７を水平にする途中状態を示す図であり、図１０の（ｃ）は、袋固定パイプ５７が水平に保持された状態を示す図である。
【００５７】
袋固定パイプ５７には図１０（ａ）に示すようにＬ字状の孔６５が開いており、図１０（ａ）の状態から図１０（ｂ）の状態を経て、Ｌ字状の孔６５の一方の端部６９にパイプ固定軸５８を掛け、軸受け部６４の端部６４ｂと袋固定パイプ５７とが当たるようにすることによって、袋固定パイプ５７が床面に水平に保持される。処置具保持手段５４を使用しない時には、パイプ固定軸５８を孔６５の他端に掛けるようにして、袋固定パイプ５７を図１０（ａ）に示すように垂直に保持するように折りたたむことで、処置具保持手段５４の占有スペースを少なくすることが出来る。
【００５８】
図１１は、袋固定パイプ５７が水平に保持され、かつ処置具先端受け袋６８が掛けられている状態を示す斜視図である。袋固定パイプ５７と袋固定針金５６とが袋保持手段を構成する。図１１に示すように、処置具先端受け袋６８を掛ける際、手前側が開口、すなわち袋固定パイプ５７の間は何もない空間であるので、ナース等が処置具先端受け袋６８を掛けやすくなっている。具体的には、処置具先端受け袋６８を袋の口を広げた状態で袋固定パイプ５７の間に手前側から臨ませ、処置具先端受け袋６８の口を袋固定パイプ５７に引っ掛けてから、袋固定針金５６側の処置具先端受け袋の口を袋固定針金５６に引っ掛けることによって、ナース等は処置具先端受け袋６８を袋固定パイプ５７に容易に固定することができる。また、バネ部材である袋固定針金５６の弾性により処置具先端受け袋６８を保持し固定しているので、単に掛けるだけよりもより確実な保持を可能にしている。なお、処置具先端受け袋６８は、専用の袋でもよいが、通常の一般に市販されているビニール袋でもよい。
【００５９】
なお、処置具保持手段５４は、ハンガーフレーム５５の孔５５ａに対応する取り付け部６１を医療用ワゴン５１に複数箇所に設けることにより、取り付け箇所を選択することができるようにしてもよく、そのようにすれば、内視鏡室レイアウトに合わせて処置具保持手段５４の位置あるいは袋保持手段の位置を変更して設置することができる。
【００６０】
また、処置具保持部６０を着脱可能とすることにより、処置具保持部６０の清掃性が向上する。さらにまた、複数の処置具保持部６０を用意するようにしてもよく、そのようにすれば、症例間での処置具保持部６０の交換が容易となる。
【００６１】
処置具保持部６０に耐熱性、耐薬性のある材料を使用することで、オートクレープや殺菌液への浸漬が可能になる。
【００６２】
以上のように、本実施例によれば、検査環境、内視鏡室レイアウトに合わせて、処置具保持手段５４を設置することが出来るため、病院等の施設の室内レイアウト変更を必要としない。さらに、処置具保持手段５４を使用しない時には袋固定パイプ５７を垂直に保持する、もしくは処置具保持手段５４を外すことによって内視鏡室のスペースを広く使用することが出来る。
【００６３】
さらに、処置具保持部６０は、処置具ハンガー支柱５９に対して着脱可能であるので、処置具保持部６０の洗浄・消毒を容易となることで、ナース等の作業効率を向上することができる。
【００６４】
また、簡便化された袋保持手段を有することで、ナースの作業効率を向上することができる。
【実施例４】
【００６５】
本実施例に係る医療用ワゴンは、内視鏡検査で使用する処置用装置が搭載されることを想定した医療用ワゴンであって、処置用機器を搭載するスペースに引き出しを追加することができることを特徴とする医療用ワゴンである。
【００６６】
以下、そのワゴンの構成例を説明する。
【００６７】
図１２は、本実施例に係わる医療用ワゴン本体の外観斜視図である。図１２に示すように、本実施例に係わる医療用ワゴン７１は、作業台として使用されるトップテーブル７２と、内視鏡検査中に使用される器具や薬品等を収納する複数の引き出し７３とを含んで構成されている。
【００６８】
ワゴン７１は、略直方体をしており、各引き出し７３は一方向に引き出すことが可能となっている。トップテーブル７２は、ワゴン７１の上面に設けられており、ナース等に作業領域を提供する。引き出し７３と、トップテーブル７２の間には、処置用装置を搭載するスペース７４を有する。さらに、ワゴン７１の底部には、ワゴン７１を容易に移動可能とするための複数のキャスタ７１ｃが取り付けられている。
【００６９】
追加引き出しユニット７５は、スライド可能に保持された引き出し７６を有し、医療用ワゴン７１上の処置用装置を搭載するスペース７４内に入れて搭載することができる。スペース７４内に搭載された追加引き出しユニット７５は、ノブ７７により固定される。ノブ７７は、ワゴン７１の背面に設けられた孔７８を通して、ユニット７５の背面の所定位置に螺合する。その結果、追加引き出しユニット７５は、ワゴン７１に固定される。
【００７０】
よって、処置用装置を使用する場合は、スペース７４の想定された位置に処置用装置を搭載することができ、処置用装置が必要ない場合は、追加引き出しユニット７５をスペース７４に搭載することで、医療用ワゴン７１の引き出しの格納スペースを広げることが出来る。
【００７１】
以上説明したように、全ての内視鏡室において処置用装置が必要されるわけではないことや、より多くの引き出しを必要とする場合等、多くのニーズに一つの医療用ワゴンで対応できるため、それぞれのニーズに対応した製品を生産する必要が無く、コストダウンが図ることができる。
【００７２】
なお、本実施例に係る構成は、上述した実施例１から実施例３に係る構成に係るワゴンにおけるスペース１ａ及び５１ａに、追加引き出しユニット７５を設けるよにしてもよい。
【００７３】
以上説明したように、本実施例によれば、通常の検査時以上に広い作業領域を必要とする作業をナースが行う場合であっても、ナースの作業性を大きく改善することができ、かつ使用状況に応じて適宜、作業スペースのサイズを変えられる、効率的で作業性に優れたワゴンを実現することができる。
【実施例５】
【００７４】
図１３ないし図１６は、本発明の実施例５に係り、図１３はワゴン本体の外観斜視図、図１４は図１３のワゴン本体の分解斜視図、図１５は使用状態を示すワゴン本体の斜視図、図１６は袋固定フックを示す斜視図である。
【００７５】
本実施例に係わる医療用ワゴンは、医療用ワゴンにおいて、処置具保持部に掛け止めした処置具先端を受けるための袋を簡単に保持できる袋保持手段を有する医療用ワゴンである。前記実施例３では、袋固定パイプ５７を折り畳み方式に構成しているが、本実施例はこの袋固定パイプをワゴンに対し突没自在に構成したものである。
【００７６】
図１３に示すように、本実施例に係るワゴン８１は、作業台として使用されるトップテーブル８２と、内視鏡検査中に使用される器具や薬品等を収納する複数の引き出し８３と、ナース等の作業領域を拡張するための補助テーブル８４とを含んで構成されている。補助作業台としての補助テーブル８４は、引き出す又は押し入れることができることは前述の各実施例と同じである。
【００７７】
ワゴン８１は、略直方体をしており、各引き出し８３は一方向に引き出すことが可能となっている。トップテーブル８２は、ワゴン８１の上面に設けられており、ナース等に作業領域を提供する。引き出し８３とトップテーブル８２との間には、スペース８１ａが設けられている。さらに、ワゴン８１の底部には、ワゴン８１を容易に移動可能とするための複数のキャスタ８１ｃが取り付けられている。
【００７８】
図１４に示すように補助テーブル８４は、テーブルベース８５、サイドガード８６及び取っ手８７により構成されている。補助テーブル８４は、ワゴン８１からみて複数方向に（ここでは２方向にすなわちワゴンの両側に、具体的には、ワゴンに向かって前後又は左右に）直線的に引き出し可能となっている。テーブルベース８５は長方形の板材であり、そのテーブルベース８５の互いに平行な２つの側面にそれぞれサイドガード８６が、図示しない締結方法により固定されて取り付けられている。そのテーブルベース８５の互いに平行な２つの側面であって、サイドガード８６が取り付けられていない２つの側面にそれぞれ取っ手８７が、図示しない締結方法により固定されている。
【００７９】
テーブルベース８５底面には、補助テーブル８４を引き出す方向に沿って、断面形状がＴ字型の溝８８が形成されている。その溝８８にはストッパー８９が、溝８８内において移動可能で、かつ抜け出さないように内挿されている。
【００８０】
ワゴンフレーム９０上面には、補助テーブル８４と接触し、補助テーブル８４がその上で滑るように移動可能とするための摺動部材９１が図示しない固定方法により固定されている。この摺動部材９１上で補助テーブル８４が滑ることによって、ワゴンフレーム９０上において、ナース等のユーザは、補助テーブル８４の引き出し及び押し込みを容易にすることができる。
【００８１】
また、補助テーブル８４の上には、補助テーブルガイド９２が被さっており、ネジ等の締結部品９３によりワゴンフレーム９０上面に固定されている。補助テーブルガイド９２は、断面形状が略コの字状の段部を有する板状材である。段部は、補助テーブル８４が収まるサイズを有し、この補助テーブル８４が、補助テーブルガイド９２の段部内で、補助テーブル８４を引き出す方向に沿って、移動可能となるように、補助テーブルガイド９２は、ワゴンフレーム９０上面に固定されている。さらに、トップテーブル８２が、ワゴンフレーム９０に対し図示しない締結方法により固定されている。前記ワゴンフレーム９０には、補助テーブル８４の溝８８に対向する位置に長孔である溝９５を設けている。ノブ９４は、ワゴンフレーム９０上面の溝９５を通して、ストッパー８９に締結固定されている。
【００８２】
本実施例においては、前記補助テーブルガイド９２の補助テーブル８４が収まる段部の両脇にパイプ収納溝９６、９６を形成し、このパイプ収納溝９６、９６に袋固定パイプ９７、９７を収納するようになっている。したがって、図１３に示すように、前記袋固定パイプ９７は、補助テーブル８４と同じ方向に突没自在になっている。また、前記補助テーブルガイド９２の四隅に形成した孔には、クリック機構（プランジャー機構）９８が配設されており、袋固定パイプ９７の左右端部脇に設けたクリック溝９９に係入して袋固定パイプを収納状態及び突出状態で固定できるようになっている。
【００８３】
この実施例の構成において、図１５に示すように前記袋固定パイプ９７、９７は、ワゴン８１のパイプ収納溝９６、９６から引き出してクリック機構にてその引き出し位置で固定される。一方、図１６に示す袋固定フック１０１は、例えば図１５に示すように２個設けられて、予めワゴン８１のトップテーブル８２の突条縁部に、その引っ掛け部１００を引っ掛けて着脱自在に取り付けられる。そして、前記袋固定フック１０１の袋引っ掛け部１０２及び前記袋固定パイプ９７、９７に処置具先端受け用袋１０３を開口状態で引っ掛けて保持し、この処置具先端受け用袋１０３によって、ワゴン８１に取り付けた処置具保持ハンガー１０４のフックに吊り下げた図示しない各種処置具の先端側を収納し保持するようになっている。  
本発明は、上述した実施例に限定されるものではなく、本発明の要旨を変えない範囲において、種々の変更、改変等が可能である。
【００８４】
なお、以上説明した実施例に係る構成から、次の付記に示す構成に特徴がある。
【００８５】
［付記項］
１．上面に作業台を有する移動可能な作業台付架台において、補助作業台を該作業台付架台内に収納可能に配置し、該補助作業台に複数方向に突出可能とする機構を設けたことを特徴とする作業台付架台。
【００８６】
２．上記補助作業台を複数方向に直線的に引き出し可能とする機構を設けたことを特徴とする付記項１記載の作業台付架台。
【００８７】
３．上記補助作業台を着脱可能としたことを特徴とする付記項２記載の作業台付架台。
【００８８】
４．上記補助作業台のストッパーが移動可能としたことを特徴とする付記項２記載の作業台付架台。
【００８９】
５．上記補助作業台に複数方向に直線的に引き出し可能、且つ引き出した後に回動可能とする機構を設けたことを特徴とする付記項４記載の作業台付架台。
【００９０】
６．上記補助作業台が回動することで上記作業台付架台より突出可能な機構を設けたことを特徴とする付記項１記載の作業台付架台。
【００９１】
７．上記補助作業台の回動機構を軸と摺動部材により回動機構を実現したことを特徴とする付記項６記載の作業台付架台。
【００９２】
８．上記補助作業台を上記作業台付架台に対して着脱可能としたことを特徴とする付記項６記載の作業台付架台。
【００９３】
９．上面に作業台を有する移動可能な作業台付架台において、処置具を保持する手段と該作業台付架台に対する着脱機構を有した処置具保持手段を、該作業台付架台に対して複数位置に着脱可能としたことを特徴とする医療用作業台付架台。
【００９４】
１０．上記処置具保持手段に備えられた処置具を保持する手段を有した処置具保持部を、上記処置具保持手段に対し、着脱可能に設置したことを特徴とする付記項９記載の医療用作業台付架台。
【００９５】
１１．上記処置具保持手段に対し、着脱可能に設置された上記処置具保持部の着脱機構をピンと穴により実現したことを特徴とする付記項１０記載の医療用作業台付架台。
【００９６】
１２．上記処置具保持手段に対し、着脱可能に設置された上記処置具保持部に耐熱性のある材料を使用することにより、オートクレーブ可能としたことを特徴とする付記項１０記載の医療用作業台付架台。
【００９７】
１３．上記処置具保持手段に対し、着脱可能に設置された上記処置具保持部に耐薬性のある材料を使用することにより、殺菌液への浸漬可能としたことを特徴とする付記項１０記載の医療用作業台付架台。
【００９８】
１４．上面に作業台を有する移動可能な作業台付架台において、袋保持手段を該作業台付架台に対して複数位置に着脱可能としたことを特徴とする医療用作業台付架台。
【００９９】
１５．上記袋保持手段において、弾性体と棒状の袋保持部材により袋を保持する機構を実現したことを特徴とする付記項１４記載の医療用作業台付架台。
【０１００】
１６．上記袋保持部材を折りたたみ可能に保持する機構を設けたことを特徴とする付記項１５記載の医療用作業台付架台。
【０１０１】
１７．袋保持部材としての袋固定パイプをワゴンに収納可能に設け、使用時には収納状態の袋固定パイプを引き出し、不使用時にはワゴンに収納しすることを特徴とする医療用作業台付架台。
【０１０２】
付記項１７に記載の医療用作業台付架台では、ワゴンのスペース効率を向上でき、また袋保持部材をワゴン内に収納することで、ワゴンに不必要な突起物を無くし、デザイン性を向上できる。  
１８．上面に作業台を有する移動可能な作業台付架台において、補助作業台を該作業台付架台内に収納可能に配置し、該補助作業台に複数方向に突出可能とする機構を設けると共に、前記架台の補助作業台を収納部を利用して袋保持部材を収納し、かつ架台から突出可能に構成したことを特徴とする作業台付架台。
【０１０３】
付記項１８に記載の医療用作業台付架台では、架台に対し収納、突出可能な補助作業台と、同じく収納、突出可能な袋保持部材とを同じ部材、部品を用いて実現でき、部品の共通化を図ることができ、コストを低減することができる。
【産業上の利用可能性】
【０１０４】
本発明は、使用状況に応じて適宜作業スペースのサイズを変えることができて、効率的で作業性に優れた作業台付架台を提供でき、この作業台付架台は内視鏡検査に広く使用することができる。
【図面の簡単な説明】
【０１０５】
【図１】本発明の実施例１に係わるワゴン本体の外観斜視図である。
【図２】本発明の実施例１に係わる補助テーブル周辺の構成を説明するための分解組立図である。
【図３】図１のＩＩＩ−ＩＩＩ’における断面図である。
【図４】補助テーブルを引き出した状態で回転させることができるようにしたことを説明するための平面図である。
【図５】本発明の実施例２に係わるワゴン本体の外観斜視図である。
【図６】図５のＶＩ−ＶＩ’断面図である。
【図７】本発明の実施例２に係わる回転軸部の斜視図である。
【図８】本発明の実施例３に係わる医療用ワゴン本体の外観斜視図である。
【図９】本発明の実施例３に係わる処置具保持手段の構成を説明するための分解組立図である。
【図１０】本発明の実施例３に係わる袋固定パイプの駆動機構を説明するための図である。
【図１１】本発明の実施例３に係わる、袋固定パイプが水平に保持され処置具先端受け袋が掛けられている状態を示す斜視図である。
【図１２】本発明の実施例４に係わる医療用ワゴン本体の外観斜視図である。
【図１３】図１３ないし図１６は、本発明の実施例５に係り、図１３はワゴン本体の外観斜視図である。
【図１４】本発明の実施例５のワゴン本体の分解斜視図である。
【図１５】本実施例の使用状態を示すワゴン本体の斜視図である。
【図１６】本実施例の使用時に用いられる袋固定フックを示す斜視図である。
【符号の説明】
【０１０６】
１、５１、７１・・・ワゴン、２、５２、７２・・・トップテーブル、３、５３、７３、７６・・・引き出し、４、４２・・・補助テーブル、１ａ、５１ａ、７４・・・スペース、５・・・テーブルベース、６・・・サイドガード、７・・・取っ手、８、４８、４９・・・溝、９・・・ストッパー、１０、４４・・・ワゴンフレーム、１１、４６・・・摺動部材、１２・・・補助テーブルガイド、１３・・・締結部材、１４・・・ノブ、１５、４５・・・孔、４１・・・回転軸部、４７・・・ピン
代理人    弁理士    伊  藤    進
【図１】
2004267764.tif 000003
【図２】
2004267764.tif 000004
【図３】
2004267764.tif 000005
【図４】
2004267764.tif 000006
【図５】
2004267764.tif 000007
【図６】
2004267764.tif 000008
【図７】
2004267764.tif 000009
【図８】
2004267764.tif 000010
【図９】
2004267764.tif 000011
【図１０】
2004267764.tif 000012
【図１１】
2004267764.tif 000013
【図１２】
2004267764.tif 000014
【図１３】
2004267764.tif 000015
【図１４】
2004267764.tif 000016
【図１５】
2004267764.tif 000017
【図１６】
2004267764.tif 000018